(57)【要約】【課題】乗客コンベアの運転、停止を操作する操作スイッチを有する操作盤に対して照光することができ、しかも交換等の保守点検作業を低減する。【解決手段】欄干と踏段との間に設けられたスカート部１３に、乗客コンベアの運転、停止を操作する操作スイッチ１６ないし１８を有する操作盤１４が設けられる。この操作盤１４の操作パネル１５またはスカート部１３には、管径が細く、寿命も長いという特性を利用して、冷陰極蛍光ランプ２１を光源とする照明器具２０が配設され、操作盤１４の前方を照射するようになっている。【選択図】  図３
2004203617.tif 000002
【特許請求の範囲】
【請求項１】
循環走行する踏段と、この踏段を支持する主枠と、前記踏段に幅方向両側に位置して前記主枠に立設された欄干と、この欄干と前記踏段との間に設けられたスカート部と、このスカート部に設けられ乗客コンベアの運転、停止を操作する操作スイッチを有する操作盤と、この操作盤の操作パネルまたは前記スカート部に設けられ、冷陰極蛍光ランプを光源として前記操作盤の前方を照射する照明器具とを備えてなる乗客コンベア。
【請求項２】
前記操作盤の操作パネルまたは前記スカート部における前記操作スイッチの近傍に透光部が形成され、この透光部の背面側に前記照明器具が設けられていることを特徴とする請求項１に記載の乗客コンベア。
【請求項３】
前記操作盤の操作パネルにおける前記操作スイッチの近傍に前記操作スイッチの種別文字を表示した透光部が形成され、この透光部の背面側に前記照明器具が設けられていることを特徴とする請求項１に記載の乗客コンベア。
【請求項４】
前記操作盤の操作パネルにおける前記操作スイッチの近傍に前記操作スイッチの種別文字を切り欠いた透光部が形成され、この透光部の背面側に前記照明器具が設けられていることを特徴とする請求項１に記載の乗客コンベア。
【請求項５】
前記操作盤の操作パネルが透光部材により形成され、この操作パネルの背面側に前記照明器具が設けられていることを特徴とする請求項１に記載の乗客コンベア。
【請求項６】
前記操作盤の操作パネルの背面に前記照明器具の点灯装置が取付けられていることを特徴とする請求項１ないし５のいずれかに記載の乗客コンベア。
【請求項７】
前記操作盤の操作スイッチによる運転、停止操作に基づき前記照明器具の点灯、消灯が切換えられる切換回路が設けられていることを特徴とする請求項１に記載の乗客コンベア。
【請求項８】
前記照明器具は、異なる色を照射する複数個の光源が設けられ、前記操作盤の操作スイッチによる運転、停止操作に基づき前記複数個の光源が異なる色に切換えられる切換回路が設けられていることを特徴とする請求項１に記載の乗客コンベア。
【請求項９】
前記照明器具は、異なる色を照射する複数個の光源が設けられ、乗客コンベアの通常運転状態、再起動可能な停止状態、再起動不可能な停止状態に基づき前記複数個の光源が異なる色に切換えられる切換回路が設けられていることを特徴とする請求項１に記載の乗客コンベア。
【請求項１０】
循環走行する踏段と、この踏段を支持する主枠と、前記踏段に幅方向両側に位置して前記主枠に立設された欄干と、この欄干と前記踏段との間に設けられたスカート部と、このスカート部に設けられ乗客コンベアの運転、停止を操作する操作スイッチを有する操作盤と、この操作盤の操作パネルまたは前記スカート部に設けられ、ＬＥＤまたは有機ＥＬを光源として前記操作盤の前方を照射する照明器具とを備えてなる乗客コンベア。
【発明の詳細な説明】
【０００１】
【発明の属する技術分野】
本発明は、エスカレータまたは動く歩道などの乗客コンベアに関する。
【０００２】
【従来の技術】
乗客コンベアであるエスカレータは、無端状に連結された多数の踏段が、上下の階床間に傾斜して設けられたガイドレールに案内支持されて循環走行するもので、踏段に乗った利用客を移動させるようになっている。
【０００３】
踏段を案内支持するガイドレールは、主枠内に設けられており、この主枠には踏段の幅方向両側に一対の欄干が立設され、この一対の欄干にそれぞれ踏段と同一速度で同一方向に移動する手すりベルトが設けられている。これら踏段や手すりベルトは、主枠内に配置された駆動装置により駆動され、駆動装置は制御装置により制御されるようになっている。
【０００４】
手すりベルトは、その走行に応じて欄干の上部を摺動し、欄干の基部と踏段との間に設けられたスカート部の端部内に順次進入し、または送り出される。
【０００５】
このスカート部の端部の内側には、エスカレータの運転、停止を操作する操作スイッチを有する操作盤が設けられている。
【０００６】
【発明が解決しようとする課題】
この操作盤は、エスカレータの外部照明により照光されており、他の個所に比較して薄暗い状態に置かれていた。このため操作盤の操作スイッチの種別を判別するのに手間取ることがある。
【０００７】
そこで操作盤の近傍に蛍光灯による照明器具を設けることが考えられるが、蛍光灯は大きすぎて操作盤の近傍に配設することができず、しかも寿命が短いことから、頻繁に交換作業を行なわなければならないという問題がある。
【０００８】
本発明は、上述の問題点を解決するためになされたもので、乗客コンベアの運転、停止を操作する操作スイッチを有する操作盤に対して照光することができ、しかも交換等の保守点検作業を低減できる乗客コンベアを提供することを目的とする。
【０００９】
【課題を解決するための手段】
本発明は、上記の課題を解決するために、欄干と踏段との間に設けられたスカート部に、乗客コンベアの運転、停止を操作する操作スイッチを有する操作盤を設けた乗客コンベアにおいて、この操作盤の操作パネルまたはスカート部に、冷陰極蛍光ランプを光源として操作盤の前方を照射する照明器具を設けたことを特徴とする。
【００１０】
このように構成することにより、冷陰極蛍光ランプの、例えば管径が４ｍｍ前後と細く、寿命も長いという特性を利用して、冷陰極蛍光ランプを光源とする照明器具を、操作盤の操作パネルまたはスカート部の背面側の狭い空間に設置することができ、操作盤の前方を照射して操作スイッチの種別を容易に識別することができる。
【００１１】
この場合、操作盤の操作パネルまたはスカート部における操作スイッチの近傍に透光部を形成し、この透光部の背面側に照明器具を設けることができる。
【００１２】
また操作盤の操作パネルにおける操作スイッチの近傍に操作スイッチの種別文字を表示した透光部を形成し、この透光部の背面側に照明器具を設けることができる。
【００１３】
さらに操作盤の操作パネルにおける操作スイッチの近傍に操作スイッチの種別文字を切り欠いた透光部を形成し、この透光部の背面側に照明器具を設けることができる。
【００１４】
また操作盤の操作パネルを透光部材により形成し、この操作パネルの背面側に照明器具を設けることができる。
【００１５】
さらに操作盤の操作パネルの背面に照明器具の点灯装置を取付けることができる。
【００１６】
また操作盤の操作スイッチによる運転、停止操作に基づき照明器具の点灯、消灯が切換えられる切換回路を設けることができる。
【００１７】
さらに異なる色を照射する複数個の光源を設け、操作盤の操作スイッチによる運転、停止操作に基づき、複数個の光源が異なる色に切換えられる切換回路を設けることができる。
【００１８】
さらに照明器具は、異なる色を照射する複数個の光源を設け、乗客コンベアの通常運転状態、再起動可能な停止状態、再起動不可能な停止状態に基づき、複数個の光源が異なる色に切換えられる切換回路を設けることができる。
【００１９】
【発明の実施の形態】
以下、本発明の実施の形態を説明する。図１は乗客コンベアの一例として一般的なエスカレータの設置状態を示す概略正面図であり、図２は本発明の第１実施の形態に係るエスカレータの主要部を示す斜視図、図３（ａ）および（ｂ）は図２の主要部の正面図および側面断面図である。
【００２０】
図１において、上階１ａと下階１ｂに跨ってエスカレータ２の主枠３が設けられ、この主枠３内に設けられた、図示しないガイドレールに案内支持されて多数の踏段４が循環走行するようになっている。
【００２１】
主枠３は、長手方向一端部の上階機械室内に駆動装置５が設けられ、この駆動装置５には、図示しない伝達継手、減速機構を介して動力駆動チェーン６が連結され、この駆動チェーン６により駆動スプロケット７が駆動されるようになっている。主枠３の長手方向他端部の下階機械室内には従動スプロケット８が設けられ、この従動スプロケット８と駆動スプロケット７とに無端状の踏段チェーン９が巻き掛けられ、この踏段チェーン９に多数の踏段４が等ピッチで連結されている。
【００２２】
踏段４は、その前後に前輪および後輪が取付けられており、これら前輪および後輪を介して主枠３内に設けられた往路ガイドレール、帰路ガイドレールおよび反転ガイドレールからなるガイドレールに案内支持されることにより、多数の踏段４は、踏段チェーンの移動に連動して循環走行するようになっている。
【００２３】
主枠３の幅方向両側には欄干１０が立設され、この欄干１０の上部には多数の踏段４と同期して走行する手すりベルト１１が設けられている。これら手すりベルト１１および踏段４は、上階機械室内に設置された制御装置１２により駆動制御される。
【００２４】
欄干１０の基部と踏段４との間にはスカート部１３が設けられる。欄干１０の上部を摺動する手すりベルト１１は、降り口側では、このスカート部１３の端部に進入し、乗り口側ではスカート部１３の端部から送り出されてくる。スカート部１３の各端部の内側面には、図２および図３に示すように、操作盤１４が設けられている。この操作盤１４には、操作パネル１５に、押しボタンからなる非常停止用操作スイッチ１６、キースイッチからなるＵＰ、ＤＯＷＮ方向切換用操作スイッチ１７および停止用操作スイッチ１８や、起動用操作スイッチ等が設けられている。なお、操作盤１４は、対向するスカート部１３の端部の内側面にそれぞれ設けて、操作スイッチ１６ないし１８を振り分けて配設する場合もある。
【００２５】
操作盤１４の操作パネル１５には、操作スイッチ１６ないし１８の近傍の位置に横方向に延びる透光部１９が形成されている。この透光部１９は操作パネル１５に切り欠きを形成し、この切り欠きにアクリル樹脂などの透光部材を嵌め込んで構成され、この透光部１９の背面側に照明器具２０が配設されている。この照明器具２０は、冷陰極蛍光ランプ２１を光源とし、冷陰極蛍光ランプ２１の背後に反射板２２が設けられて操作パネル１５に取付けられ、冷陰極蛍光ランプ２１が点灯することにより、反射板２２からの反射光とともに透光部１７を通して操作盤１５の前方を照射し、操作パネル１５の前面の照度を高くするようになっている。冷陰極蛍光ランプ２１はガラス管内壁に蛍光体層を塗布しており、管内ガスを放電し、生じる紫外線により蛍光体層を励起発光するもので、放電のための冷陰極がガラス管の内側にあるタイプあるいはガラス管の外側にあるタイプのいずれでも採用できる。
【００２６】
この冷陰極蛍光ランプ２１を点灯するための電源は、エスカレータの制御回路用電源を利用することができ、また一般電源のコンセントから供給を受けることもできる。
【００２７】
このようにして、冷陰極蛍光ランプ２１の、例えば管径が４ｍｍ前後と細く、寿命も長いという特性を利用して、冷陰極蛍光ランプ２１を光源とする照明器具２０をスカート部１３の端部内側の狭い空間に設置することにより、エスカレータの運行中、常時点灯させることができ、操作盤１４面の照度を高めることができることから、操作盤１４の操作スイッチ１６ないし１８の種別を容易に識別できるようになる。
【００２８】
また照明器具２０を配設することによる操作盤１４の意匠性を損なうことはなく、しかも照明器具２０の冷陰極蛍光ランプ２１の交換、清掃等の保守点検作業も、冷陰極蛍光ランプ２１が有する長寿命特性により、エスカレータの寿命まで、ほとんど行なう必要がない。
【００２９】
図４（ａ）および（ｂ）は、本発明の第２実施の形態に係るエスカレータの主要部の正面図および側面断面図である。本実施の形態では、第１実施の形態において操作パネル１５に形成した透光部１９に代えて操作盤２４の上方近傍のスカート部１３に、横方向に延びる透光部２３を形成し、この透光部２３の背面側に冷陰極蛍光ランプ２１を光源とする照明器具２０を配設したところに特徴を有する。
【００３０】
このように構成すれば、第１実施の形態と同様の効果が得られるほか、操作盤２４の操作スイッチ１６ないし１８の種別文字が、その近傍に位置する透光部２３から照明器具２０により照らし出されるため、種別文字の識別が容易になる。
【００３１】
図５（ａ）および（ｂ）は、本発明の第３実施の形態に係るエスカレータの主要部の正面図および側面断面図である。本実施の形態では、操作盤２５の操作パネル１５における操作スイッチ１６ないし１８の近傍に、操作スイッチ１６ないし１８の種別文字を表示した透光部材からなる透光部２６を形成し、この透光部２６の背面側に、冷陰極蛍光ランプ２１を光源とする照明器具２０を設けたところに特徴を有する。
【００３２】
このように構成すれば、第１実施の形態と同様の効果が得られるほか、照明器具２０により操作スイッチ１６ないし１８の種別文字が照らし出されるため、その識別が一層容易になる。
【００３３】
図６（ａ）ないし（ｃ）は、本発明の第４実施の形態に係るエスカレータの主要部を示す図で、（ａ）は正面図、（ｂ）は（ａ）の側面断面図、（ｃ）は（ａ）のＡ部を拡大した正面図である。本実施の形態では、操作盤２７の操作パネル１５における操作スイッチ１６ないし１８の近傍に、操作スイッチ１６ないし１８の種別文字を切り欠いた透光部２８を形成し、この透光部２８の背面側に、冷陰極蛍光ランプ２１を光源とする照明器具２０を設けたところに特徴を有する。
【００３４】
このように構成すれば、第１実施の形態と同様の効果が得られるほか、照明器具２０により操作スイッチ１６ないし１８の種別文字が直接照らし出されるため、その識別がより一層容易になる。
【００３５】
図７（ａ）ないし（ｃ）は、本発明の第５実施の形態に係るエスカレータの主要部を示す図で、（ａ）は正面図、（ｂ）は（ａ）の側面断面図、（ｃ）は（ａ）の背面図である。本実施の形態では、操作盤２９の操作パネル３０を透光部材により形成し、この操作パネル３０の背面側に、冷陰極蛍光ランプ２１を光源とする照明器具２０を設けたところに特徴を有する。この照明器具２０の冷陰極蛍光ランプ２１は、操作スイッチ１６ないし１８を取り囲むように配設されている。
【００３６】
このように構成すれば、第１実施の形態と同様の効果が得られるほか、照明器具２０により操作盤２９全体が照らし出されるため、操作スイッチ１６ないし１８の識別はもとよりスイッチ操作も容易になる。
【００３７】
図８（ａ）、（ｂ）および図９は、本発明の第６実施の形態に係るエスカレータの主要部の正面図、側面断面図および冷陰極蛍光ランプに電源を供給する電源回路の一例を示すブロック図である。本実施の形態では、第１実施の形態と同様に、操作パネル１５に透光部１９を形成し、この透光部１９の背面側に冷陰極蛍光ランプ２１を光源とする照明器具２０を設けて構成する。そして本実施の形態では、さらに照明器具２０の冷陰極蛍光ランプ１９を点灯する電源回路の点灯装置３１を操作パネル１５の背面に取付けたところに特徴を有する。点灯装置３１は、インバータおよび高圧トランスを含み、低電圧の電源３２を高電圧に変換して冷陰極蛍光ランプ２１に供給する。
【００３８】
このように構成すれば、第１実施の形態と同様の効果が得られるほか、点灯装置３１が万一故障した場合であっても、操作盤１４とともに容易に取り外して交換することができ、エスカレータの停止時間を短縮することができる。
【００３９】
図１０は、本発明の第７実施の形態に係る、陰極管に電源を供給する電源回路の他の例を示すブロック図である。本実施の形態では、操作盤の操作スイッチによる運転、停止操作に基づき、照明器具の冷陰極蛍光ランプ２１の点灯、消灯を切換えるスイッチを有する切換回路３３を設けたところに特徴を有する。
【００４０】
このように構成してエスカレータの運転時には点灯し、停止時には消灯させるように操作盤の操作スイッチに連動させることにより、第１実施の形態と同様の効果が得られるほか、消費電力を低減することができる。
【００４１】
図１１は、本発明の第８実施の形態に係る、陰極管に電源を供給する電源回路の他の例を示すブロック図である。本実施の形態では、照明器具の冷陰極蛍光ランプ２１ａ，２１ｂを、例えば白色と赤色に着色した複数本で構成し、これらの冷陰極蛍光ランプ２１ａ，２１ｂをそれぞれ操作盤の操作スイッチによる運転、停止操作に基づき、点灯、消灯を切換えて照明器具が異なる色を発光するように構成したところに特徴を有する。電源３２にはそれぞれ点灯装置３１ａ，３１ｂを介して冷陰極蛍光ランプ２１ａ，２１ｂが並列に接続されている。各冷陰極蛍光ランプ２１ａ，２１ｂの電源回路は、電源３２に直列に運転操作スイッチに連動して点灯、消灯を切換えるスイッチを有する切換回路３３ａ，３３ｂが設けられている。そして運転操作スイッチが操作された際には、切換回路３３ａのスイッチがＯＮして白色の冷陰極蛍光ランプ２１ａが点灯し、停止操作スイッチが操作された際には、切換回路３３ｂのスイッチがＯＮして赤色の冷陰極蛍光ランプ２１ｂが点灯する。このように構成すれば、第１実施の形態と同様の効果が得られるほか、遠くからでもエスカレータの運転、停止状態を確認することができる。
【００４２】
図１２は、本発明の第９実施の形態に係る、陰極管に電源を供給する電源回路の他の例を示すブロック図である。本実施の形態では、照明器具の冷陰極蛍光ランプ２１ａ，２１ｂ，２１ｃを、例えば白色と赤色と緑色に着色した複数本で構成し、これらの冷陰極蛍光ランプ２１ａ，２１ｂ，２１ｃをそれぞれエスカレータの通常運転状態、再起動可能な停止状態、再起動不可能な停止状態に基づき、点灯、消灯を切換えて照明器具が異なる色を発光するように構成したところに特徴を有する。
【００４３】
電源３２にはそれぞれ点灯装置３１ａ，３１ｂ，３１ｃを介して冷陰極蛍光ランプ２１ａ，２１ｂ，２１ｃが並列に接続されている。各冷陰極蛍光ランプ２１ａ，２１ｂ，２１ｃの電源回路は、電源３２に直列に運転、停止操作スイッチに連動して点灯、消灯を切換えるスイッチを有する切換回路３３ａ，３３ｂ，３３ｃが設けられている。そして運転操作スイッチ（通常運転）が操作された際には、切換回路３３ａのスイッチがＯＮして白色の冷陰極蛍光ランプ２１ａが点灯し、停止操作スイッチ（再起動可能）が操作された際には、切換回路３３ｂのスイッチがＯＮして緑色の冷陰極蛍光ランプ２１ｂが点灯し、非常停止スイッチ（再起動不可能）が操作された際には、切換回路３３ｃのスイッチがＯＮして赤色の冷陰極蛍光ランプ２１ｃが点灯する。
【００４４】
このようにすれば、第１実施の形態と同様の効果が得られるほか、エスカレータ本体から離れた位置からでも照明器具の点灯色により、エスカレータの通常運転状態、再起動可能な停止状態、再起動不可能な停止状態を確認することができ、また保守点検員の必要性を一目で確認することができる。
【００４５】
なお、光源として冷陰極蛍光ランプを用いたが、ＬＥＤ（半導体発光素子）や有機ＥＬ（エレクトロルミネセンス）を用いても良い。また、本発明の目的を達成するものであれば光源としての冷陰極蛍光ランプ、ＬＥＤ、有機ＥＬ等を適当にまぜて配置しても良いことはもちろんである。
【００４６】
【発明の効果】
以上説明したように、本発明の乗客コンベアによれば、操作盤の操作パネルまたはスカート部に、冷陰極蛍光ランプ、ＬＥＤ、有機ＥＬなどを光源として操作盤の前方を照射する照明器具を設けたことにより、乗客コンベアの運転、停止を操作する操作スイッチを有する操作盤に対して照光することができ、しかも交換等の保守点検作業を低減することができる。
【図面の簡単な説明】
【図１】乗客コンベアの一例として一般的なエスカレータの設置状態を示す概略正面図である。
【図２】本発明の第１実施の形態に係るエスカレータの主要部を示す斜視図である。
【図３】（ａ）および（ｂ）は図２の主要部の正面図および側面断面図である。
【図４】（ａ）および（ｂ）は、本発明の第２実施の形態に係るエスカレータの主要部の正面図および側面断面図である。
【図５】（ａ）および（ｂ）は、本発明の第３実施の形態に係るエスカレータの主要部の正面図および側面断面図である。
【図６】（ａ）ないし（ｃ）は、本発明の第４実施の形態に係るエスカレータの主要部を示す図で、（ａ）は正面図、（ｂ）は（ａ）の側面断面図、（ｃ）は（ａ）のＡ部を拡大した正面図である。
【図７】（ａ）ないし（ｃ）は、本発明の第５実施の形態に係るエスカレータの主要部を示す図で、（ａ）は正面図、（ｂ）は（ａ）の側面断面図、（ｃ）は（ａ）の背面図である。
【図８】（ａ）および（ｂ）は、本発明の第６実施の形態に係るエスカレータの主要部の正面図および側面断面図である。
【図９】図８に示す冷陰極蛍光ランプに電源を供給する電源回路の一例を示すブロック図である。
【図１０】本発明の第７実施の形態に係る、陰極管に電源を供給する電源回路の他の例を示すブロック図である。
【図１１】本発明の第８実施の形態に係る、陰極管に電源を供給する電源回路の他の例を示すブロック図である。
【図１２】本発明の第９実施の形態に係る、陰極管に電源を供給する電源回路の他の例を示すブロック図である。
【符号の説明】
１ａ…上階
１ｂ…下階
２…エスカレータ
３…主枠
４…踏段
５…駆動装置
６…動力駆動チェーン
７…駆動スプロケット
８…従動スプロケット
９…踏段チェーン
１０…欄干
１１…手すりベルト
１２…制御装置
１３…スカート部
１４，２４，２５，２７，２９…操作盤
１５，３０…操作パネル
１６，１７，１８…操作スイッチ
１９，２３，２６，２８…透光部
２０…照明器具
２１，２１ａ，２１ｂ，２１ｃ…冷陰極蛍光ランプ
２２…反射板
３１，３１ａ，３１ｂ，３１ｃ…点灯装置
３２…電源
３３，３３ａ，３３ｂ，３３ｃ…切換回路
【図１】
2004203617.tif 000003
【図２】
2004203617.tif 000004
【図３】
2004203617.tif 000005
【図４】
2004203617.tif 000006
【図５】
2004203617.tif 000007
【図６】
2004203617.tif 000008
【図７】
2004203617.tif 000009
【図８】
2004203617.tif 000010
【図９】
2004203617.tif 000011
【図１０】
2004203617.tif 000012
【図１１】
2004203617.tif 000013
【図１２】
2004203617.tif 000014